(57)【要約】【課題】ごく簡単な操作で水流を精度良く切り分けることができ、設備コストなども比較的低廉に抑えることの可能な分水路の分流装置を提供する。【解決手段】分水路２ａ、２ｂの分岐点８にゲート軸５を垂設し、このゲート軸５には先端部を水路１の上流側へ向けた水流制御用のゲート板６を回動自在に軸着する。また、ゲート板６近傍にはゲート板６回動用の駆動手段７を備える。そして、この駆動手段７の駆動操作にてゲート板６の向きを制御し、各分水路２ａ、２ｂへの開口部３ａ、３ｂの間口を調節することにより、各分水路２ａ、２ｂへ分流させる水流量を調整する。このように、ゲート板６の回動といったごく簡単な操作だけで分流を精度良く行えると共に、各分水路２ａ、２ｂ毎に水門設備などを別途設置する必要がないので設備コストなどを低廉に抑えられる【選択図】  図１
2004156271.tif 000002
【特許請求の範囲】
【請求項１】
水路を二方へ分岐させて形成される分水路の分岐点にゲート軸を垂設し、該ゲート軸には先端部を水路の上流側へ向けた水流制御用のゲート板を回動自在に軸着すると共に、該ゲート板近傍にはゲート板を回動させる駆動手段を備え、該駆動手段の駆動操作にてゲート板の向きを制御して各分水路への開口部の間口を調節することにより各分水路へ分流させる水流量を調整するように構成したことを特徴とする分水路の分流装置。
【請求項２】
前記各分水路には水流量計測用の流量計を備え、各流量計にて計測されたそれぞれの水流量に基づいてゲート板の向きを制御するように構成したことを特徴とする請求項１記載の分水路の分流装置。
【発明の詳細な説明】
【０００１】
【発明の属する技術分野】
本発明は、水路を二方へ分岐させて形成される各分水路に上流より流下してくる水流を分流させる分水路の分流装置に関し、特に各分水路へ分流させる水流量を調整可能とした分水路の分流装置に関する。
【０００２】
【従来の技術】
従来例を図３にて説明すると、農業用などに設置されている水路１０１では、必要に応じて水路の途中を二方へ分岐させて分水路１０２ａ、１０２ｂを形成し、上流より流下してくる水流を各分水路１０２ａ、１０２ｂへ分流させるようにしている。そして、各分水路１０２ａ、１０２ｂへの水流量を調節する必要がある場合には、各分水路１０２ａ、１０２ｂへの開口部１０３ａ、１０３ｂにそれぞれ水門１０４ａ、１０４ｂを設置し、各分水路１０２ａ、１０２ｂの水流量のバランスを見ながら各水門１０４ａ、１０４ｂのゲート開度を操作して調節を行っている。
【０００３】
【発明が解決しようとする課題】
しかしながら、このような各分水路１０２ａ、１０２ｂへの水流量を見ながら行う各水門１０４ａ、１０４ｂの開閉作業は甚だ面倒であり、またその手間の割には水流を各分水路１０２ａ、１０２ｂへあまり正確に切り分けることはできず、ごく曖昧な分流となっていた。また、各分水路１０２ａ、１０２ｂ毎に水門１０４ａ、１０４ｂを設置する必要があるため設備費なども決して安いものではなかった。
【０００４】
本発明は上記の点に鑑み、ごく簡単な操作で水流を精度良く切り分けることができ、設備コストなども比較的低廉に抑えることの可能な分水路の分流装置を提供することを課題とする。
【０００５】
【課題を解決するための手段】
上記の課題を解決するために、請求項１記載の分水路の分流装置にあっては、水路を二方へ分岐させて形成される分水路の分岐点にゲート軸を垂設し、該ゲート軸には先端部を水路の上流側へ向けた水流制御用のゲート板を回動自在に軸着すると共に、該ゲート板近傍にはゲート板を回動させる駆動手段を備え、該駆動手段の駆動操作にてゲート板の向きを制御して各分水路への開口部の間口を調節することにより各分水路へ分流させる水流量を調整するように構成したことを特徴としている。
【０００６】
また、請求項２記載の分水路の分流装置にあっては、前記各分水路には水流量計測用の流量計を備え、各流量計にて計測されたそれぞれの水流量に基づいてゲート板の向きを制御するように構成したことを特徴としている。
【０００７】
【発明の実施の形態】
本発明に係わる請求項１記載の分水路の分流装置によれば、分水路への水流量を調整する際には、駆動手段を駆動操作して水流制御用のゲート板を回動させ、水路に対するゲート板の向きを変える。このとき、ゲート板の向きが変わるのに伴い、各分水路への開口部における間口が調節され、例えば、一方の分水路側にゲート板を傾けると傾け側の分水路の開口部幅が狭まる結果、分流される水流量は減少することになる反面、他方の分水路の開口部幅は広がる結果、分流される水流量は増加することになる。そして、各分水路への水流量の増減具合を見ながら所望の分流となったところで駆動手段を停止してゲート板を制止させ、各分水路への水流量の調整を完了する。
【０００８】
このように、分水路の分岐点に水流制御用のゲート板を備え、このゲート板の回動操作のみで各分水路へ分流される水流量の調整を可能としたので、ごく簡単な操作でありながら各分水路へ水流を精度良く切り分けることができると共に、従来のように各分水路に水門設備を設置する必要がないので設備コストなどを低廉に抑えることが可能となる。
【０００９】
また、請求項２記載の分水路の分流装置によれば、各分水路内に水流量計測用の流量計を備え、各分水路を流下する水流のリアルタイムの流量を正確に把握する。そして、これら各水流量に基づいてゲート板の向きを制御し、各分水路の開口部の開口幅を所望する水流量が得られるように最適な大きさに調整する。
【００１０】
このように、各分水路を流下するリアルタイムの水流量に基づいてゲート板を回動制御するようにしたので、装置構成の自動化が容易に図れて操作をより簡単なものとすると共に、更に精度の高い水流の切り分けが可能となる。
【００１１】
【実施例】
以下、本発明の実施例を図面に基づいて説明する。
【００１２】
図中の１は、農業用などに設置されている水路であって、途中で二方に分岐させて分水路２ａ、２ｂを形成している。前記分水路２ａ、２ｂの開口部３ａ、３ｂには、各分水路２ａ、２ｂへ上流より流下してくる水流を分流させる分流装置４を配設しており、該分流装置４は、ゲート軸５、ゲート板６、及び駆動手段７を主体に構成している。
【００１３】
前記ゲート軸５は、各分水路２ａ、２ｂ間に挟まれている分岐点８に垂設しており、このゲート軸５には水流制御用のゲート板６の基端部を回動自在に軸着している。また、前記ゲート板６は、回動させた際にゲート板６の先端部が水路１の両側面に当接可能な程度の長さに形成した、軽量でかつ錆びにくい、例えばステンレス製の板状部材であって、その先端部が少なくとも水路の上流側へと向いた状態となるようにゲート軸５に軸着している。
【００１４】
前記駆動手段７は、ゲート板６を回動させるためのものであって、油圧シリンダ９及び油圧ユニット１０を主体として構成されている。そして、前記油圧ユニット１０の操作によって油圧シリンダ９のピストンシリンダ１１を伸縮駆動させることにより、シリンダヘッド１２とリンク結合させたゲート板６を左右へ回動可能としている。
【００１５】
また、ゲート板６の先端部及び底部には水密性部材である水密ゴム１３を貼り付けている一方、ゲート板６を回動させる際にゲート板６底部が摺接する水路１の底面部、及びゲート板６を左右に最大限回動させた際にゲート板６先端部が当接する水路１の側面部には、平滑な、例えばステンレス鋼製の板材１４、１５を設置しており、これら板材１４、１５表面に前記水密ゴム１３が押し付けられると、板材１４、１５表面に水密ゴム１３が密着して水密が図れるようにしている。
【００１６】
したがって、ゲート板６の下端部から水流が漏れ出すようなことはほとんど無く、各分水路２ａ、２ｂへの水流量はあくまでも各開口部３ａ、３ｂの開口幅によって決定されるため、ゲート板６の回動操作にて各分水路２ａ、２ｂへの分流を精度良く調節することができる。また、ゲート板６を左右何れかに最大限回動させ、水路１の側面に設置した板材１５にゲート板６先端部を当接させた場合には、ゲート板６の下端部及び先端部からも水流が漏れ出すようなことはほとんど無く、水路１を流下してくる水流の全量を他方側の分水路へ流下させるということもできる。
【００１７】
しかして、上記分流装置４を操作して水路１を流下してくる水流を各分水路２ａ、２ｂへ切り分ける際には、駆動手段７を駆動させてゲート板６を回動制御し、各分水路２ａ、２ｂへの水流量がそれぞれ所望量となるように各開口部３ａ、３ｂの開口幅を調節する。例えば、分水路２ａへの水流量を増加させたいときには、ゲート板６を分水路２ｂ側へ徐々に傾けていく。すると、分水路２ｂの開口部３ｂの開口幅は狭まっていき、分水路２ｂへの水流量は次第に減少していく一方、分水路２ａの開口部３ａの開口幅は広がっていき、分水路２ａへの水流量は次第に増加していく。そして、分水路２ａへの水流量が所望量となったところでゲート板６の回動を停止し、水流量の調整制御を終える。
【００１８】
このように、分流制御を行いたい水路１に上記分流装置４を一基配設すれば事足り、比較的低廉なコストで設置を可能とすると共に、ゲート板６の回動操作のみで分流制御を精度良く行えるため、たいした面倒もなく非常に容易に分流操作をすることができる。
【００１９】
また、上記分流装置４において、各分水路２ａ、２ｂ内に水流量計測用の流量計１６ａ、１６ｂを備え、これら流量計１６ａ、１６ｂにて計測される各分水路２ａ、２ｂのリアルタイムの水流量を制御盤１７に取り込み、設定された水流量と比較しながら所望の水流量に切り分けるようにゲート板６の向きを制御する。
【００２０】
このように、各分水路２ａ、２ｂを流下するリアルタイムの水流量に基づいてゲート板６を回動制御するようにしたので、装置構成を自動化でき、より簡単な分流操作を可能とすると共に、上流側の水流量の変動が大きい場合でも影響を受けにくく、精度の高い水流の切り分けができる。
【００２１】
なお、分水路２ａ、２ｂに備えた流量計１６ａ、１６ｂ以外に上流側の水路１にも流量計１８を備え、分水路２ａ、２ｂ、並びに水路１を流下するリアルタイムの水流量に基づいてゲート板６を回動制御するようにすれば、流下する水流の全体的なバランスを考慮しながら水流を切り分けることができ、より実情に合った好適な分流制御を行うことが可能となる。
【００２２】
【発明の効果】
以上のように本発明に係る請求項１記載の分水路の分流装置によれば、水路を二方へ分岐させて形成される分水路の分岐点にゲート軸を垂設し、該ゲート軸には先端部を水路の上流側へ向けた水流制御用のゲート板を回動自在に軸着すると共に、該ゲート板近傍にはゲート板を回動させる駆動手段を備え、該駆動手段の駆動操作にてゲート板の向きを制御して各分水路への開口部の間口を調節することにより各分水路へ分流させる水流量を調整するように構成したので、ゲート板の回動といったごく簡単な操作だけで各分水路への分流を精度良く行えると共に、各分水路毎に水門設備などを設置する必要がないので設備コストなどを低廉に抑えることが可能となる。
【００２３】
また請求項２記載の分水路の分流装置によれば、前記各分水路には水流量計測用の流量計を備え、各流量計にて計測されたそれぞれの水流量に基づいてゲート板の向きを制御するように構成したので、各分水路のリアルタイムの水流量に基づいてゲート板を回動制御することができ、装置構成の自動化が容易に図れて操作をより簡単なものとすると共に、水流量の変動などに影響を受けにくく、精度の高い水流の切り分けが可能となる。
【図面の簡単な説明】
【図１】本発明に係る分水路の分流装置の一実施例を示す平面図である。
【図２】図１の一部切り欠きＸ矢視図である。
【図３】従来の分流装置を示す図１に相当する図である。
【符号の説明】
１…水路                            ２ａ、２ｂ…分水路
３ａ、３ｂ…開口部                  ４…分流装置
５…ゲート軸                        ６…ゲート板
７…駆動手段                        ８…分岐点
１３…水密ゴム                      １６ａ、１６ｂ、１８…流量計
１７…制御盤
【図１】
2004156271.tif 000003
【図２】
2004156271.tif 000004
【図３】
2004156271.tif 000005